(57)【要約】【目的】  便利で扱い易い強制排水付き全身浴装置を提供することにある。  【構成】  全身浴装置（１）において、浴槽（２）の側壁に設けられるノズル（２４）と、浴槽内の湯を取水し加圧しノズル（２４）から浴槽内に噴出させる循環ポンプ（１０）と、循環ポンプ（１０）の吐出口（１０ｂ）に分岐接続される強制排水バルブ（４５）と、強制排水バルブ（４５）に連動し循環ポンプ（１０）を始動させる開閉検出スイッチ（４６）とが設けられ、前記強制排水バルブ（４５）を開けると開け始めの直後に循環ポンプ（１０）が始動し、更に強制排水バルブ（４５）を開閉させれば強制排水量が調節できる強制排水付き全身浴装置である。  【選択図】      図１
2005058381.tif 000002
【特許請求の範囲】
【請求項１】
全身浴装置（１）において、浴槽（２）の側壁に設けられるノズル（２４）と、浴槽内の湯を取水し加圧しノズル（２４）から浴槽内に噴出させる循環ポンプ（１０）と、循環ポンプ（１０）の吐出口（１０ｂ）に分岐接続される強制排水バルブ（４５）と、強制排水バルブ（４５）に連動し循環ポンプ（１０）を始動させる開閉検出スイッチ（４６）とが設けられ、
前記強制排水バルブ（４５）を開けると開け始めの直後に循環ポンプ（１０）が始動し、更に強制排水バルブ（４５）を開閉させれば強制排水量が調節できることを特徴とする強制排水付き全身浴装置。
【請求項２】
浴槽（２）の上面には、給湯用ホース（５７）を差し込み・抜き取りできる給湯用ホース差込み口（５）が設けられ、給湯用ホース差込み口（５）は差し込まれた給湯用ホース（５７）に適宜な摩擦抵抗を付与することを特徴とする請求項１記載の強制排水付き全身浴装置。
【請求項３】
強制排水バルブ（４５）が浴槽（２）の上部位置に設けられることを特徴とする請求項１記載の強制排水付き全身浴装置。
【発明の詳細な説明】
【技術分野】
【０００１】
本発明は、身体の上下肢に障害や疾病を持つ者（以下患者という）の上下肢部分を温浴するための強制排水付き全身浴装置に関する。
【背景技術】
【０００２】
従来の技術として挙げた下記特許文献には、吐出口と吸入口とを開口した浴槽と、循環用流路と、循環用ポンプと、バイパス流路と、外部排水口と、開閉弁等とからなる風呂が開示されている。
【特許文献１】実用新案登録第２５８５６４５号
【発明の開示】
【発明が解決しようとする課題】
【０００３】
前記特許文献に開示された風呂では、循環用ポンプで強制排水させることができるため、排水路を省略できる効果がある。しかし、開閉弁の開閉状態によって循環用ポンプを制御する構成、及び強制排水量を調節する構成は開示されていないため、適量にして容易な操作で強制排水を行なうということはできなかった。
本発明の目的は、便利で扱い易い強制排水付き全身浴装置を提供することにある。
【課題を解決するための手段】
【０００４】
本発明は、全身浴装置（１）において、浴槽（２）の側壁に設けられるノズル（２４）と、浴槽内の湯を取水し加圧しノズル（２４）から浴槽内に噴出させる循環ポンプ（１０）と、循環ポンプ（１０）の吐出口（１０ｂ）に分岐接続される強制排水バルブ（４５）と、強制排水バルブ（４５）に連動し循環ポンプ（１０）を始動させる開閉検出スイッチ（４６）とが設けられ、前記強制排水バルブ（４５）を開けると開け始めの直後に循環ポンプ（１０）が始動し、更に強制排水バルブ（４５）を開閉させれば強制排水量が調節できることを特徴とする強制排水付き全身浴装置である。
又、浴槽（２）の上面には、給湯用ホース（５７）を差し込み抜き取りできる給湯用ホース差込み口（５）が設けられ、給湯用ホース差込み口（５）は差し込まれた給湯用ホース（５７）に適宜な摩擦抵抗を付与する。
更に、強制排水バルブ（４５）が浴槽（２）の上部位置に設けられる。
【発明の効果】
【０００５】
本発明は、強制排水バルブ４５を開けると開け始めの直後に循環ポンプ１０が始動し、更に強制排水バルブ４５を開閉させれば強制排水量が調節できるものであるから、強制排水バルブ４５の回動操作で、循環ポンプ１０の始動操作と強制排水バルブ４５の流量調節操作の両操作ができ、便利であり、該両操作が容易であり、好都合である。
【０００６】
本発明に係る浴槽２の上面には、給湯用ホース５７を差し込み抜き取りできる給湯用ホース差込み口５が設けられ、給湯用ホース差込み口５は差し込まれた給湯用ホース５７に適宜な摩擦抵抗を付与する。この構成によれば、給湯用ホース５７を給湯用ホース差込み口５へ簡単に差し込み及び抜き取りでき、給湯中に給湯用ホース５７が抜けることもなく、給湯作業が容易且つ便利であり、好都合である。
【０００７】
本発明は、強制排水バルブ４５が浴槽２の上部位置に設けられるものであるから、強制排水バルブ４５が見易く操作をし易い。又、強制排水バルブ４５を浴槽上部に設けると、浴槽２の下部の部品密集を緩和でき、製作時には配管作業をし易く、好都合である。
【発明を実施するための最良の形態】
【０００８】
全身浴装置１を用いて、渦流浴治療を行なう。
全身浴装置１において、浴槽２の側壁に設けられるノズル２４と、浴槽内の湯を取水し加圧しノズル２４から浴槽内に噴出させる循環ポンプ１０と、循環ポンプ１０の吐出口１０ｂに分岐接続される強制排水バルブ４５と、強制排水バルブ４５に連動し循環ポンプ１０を始動させる開閉検出スイッチ４６とが設けられる。
【０００９】
浴槽２に循環ポンプ１０を含む循環路５８を接続し、循環ポンプ１０を駆動させ、該循環ポンプ１０で浴槽内の湯を循環路５８に循環させる。
循環路５８の湯を浴槽２に戻す時、ノズル２４から噴出させ浴槽内に渦流を作る。
循環ポンプ１０は強制排水にも用いられる。即ち、操作者が前記強制排水バルブ４５を開けると、先ず、開け始めの直後に開閉検出スイッチ４６が作動し、循環ポンプ１０が始動する。更に、強制排水バルブ４５を開閉操作して強制排水量を調節する。
【００１０】
又、全身浴装置１には、循環ポンプ１０を制御する噴流スイッチ３２が設けられる。
循環ポンプ１０は、開閉検出スイッチ４６を操作しなくても、噴流スイッチ３２で駆動させることができる。
【００１１】
浴槽２の上面には、給湯用ホース５７を差し込み抜き取りできる給湯用ホース差込み口５が設けられる。給湯用ホース差込み口５は差し込まれた給湯用ホース５７に適宜な摩擦抵抗を付与する。その為、給湯用ホース５７が給湯中に給湯用ホース差込み口５から抜け外れない。
強制排水バルブ４５が浴槽２の上部位置に設けられる。各種構成部品を、浴槽２の下部位置に密集するのを緩和し分散配置する。
【実施例１】
【００１２】
全身浴装置１における浴槽２は略直方体形状であり、平面視では、前・後辺は円弧形状である。浴槽２の前部上部にメインパネル３、噴流量調節バルブ４及び給湯用ホース差込み口５が設けられる。浴槽２の前部下部にブロアー６が内蔵される。
【００１３】
浴槽２の中央部には入浴用の湯を溜める内槽７が設けられる。浴槽２の前後方向における略中央部に、浴槽２上縁面より上方に、浴槽２の左右に亘って手摺り部８が設けられる。浴槽２の後部上部には強制排水バルブツマミ９が設けられる。浴槽２の後部下部には循環ポンプ１０が内蔵される。
【００１４】
図８に示す強制排水バルブ４５は、強制排水バルブツマミ９の奥部の浴槽２の上部位置に設けられる。
強制排水バルブツマミ９の筒部９ａには円弧形状の作用片５５が取着される。作用片５５の基部に、外周を扁平に形成した扁平部５５ａが形成される。作用片５５に接する位置に開閉検出スイッチ４６（＝具体例ではリミットスイッチ）が、強制排水バルブ４５と共に取付板５６に取着される。
【００１５】
強制排水バルブ４５が閉まっている時、即ち作用片５５の扁平部５５ａに開閉検出スイッチ４６の可動片４６ａが接している時はオフであり、強制排水バルブ４５を開けると作用片５５が回転し、開け始めに作用片５５が可動片４６ａを押し、開閉検出スイッチ４６はオンになる。開閉検出スイッチ４６がオンになると循環ポンプ１０が回転する。
【００１６】
浴槽２の下面には、浴槽２を移動させるキャスター１１が設けられ、更に、浴槽２を移動させた後に、浴槽２を固定状に支持するアジャスター１２が進退可能に設けられる。浴槽２の下面の下方に自然排水バルブ１３、気泡排水バルブ１４が設けられる。
【００１７】
内槽７の底部に複数段の足受け１５を設ける。
複数段の足受け１５は、内槽底壁７ａを、断面視三角形状の山形突起２８を浴槽左右方向に成形し、該山形突起２８を浴槽前後方向に複数個連続させて成形してなる。複数段の足受け１５は、前・中・後足受け１５ａ・１５ｂ・１５ｃである。更に具体的には、前・中・後山形突起２８ａ・２８ｂ・２８ｃである。
【００１８】
内槽底壁７ａの裏部の所定位置に気泡板１９が設けられる。気泡板１９に設けられたエアー口１８にはブロアー６に繋がる配管２１が接続される。
内槽底壁７ａから左側壁７ｃに亘たる所定位置にヒーター１６、ヒーター１６をカバーするヒーターカバー１７が設けられる。
【００１９】
内槽後側壁は背凭れ壁７ｄであり、該背凭れ壁７ｄは前方へ進む程下がるように傾斜（＝後傾）している。患者をリクライニング姿勢に支持する。
【００２０】
背凭れ壁７ｄは内槽底壁７ａの位置から浴槽上縁より上に若干突出した位置まであり、その突出した部分に枕２３が一体的に成形される。即ち、枕２３は、浴槽２の後部上部にあって、背凭れ壁７ｄを上方に延長し延長端を折り返して側面視山形に突起させ、該突起を浴槽左右方向に延在させてなる。
【００２１】
背凭れ壁７ｄには後ノズル２４ｂが設けられ、内槽７の、前・左・右側壁７ｂ・７ｃ・７ｅにそれぞれ前・左・右ノズル２４ａ・２４ｃ・２４ｄが設けられる。循環ポンプ１０の吸入口１０ａは内槽７の吸込口２５に連通され、循環ポンプ１０の吐出口１０ｂは、分岐管２６を介して前記各ノズル２４に連通される。ノズル２４は、内槽７から取り入れた湯を循環して内槽７へ噴出させるものである。
【００２２】
内槽７の左側壁７ｃの、下部にはヒーター１６が設けられ、上部にはオーバーフロー部２７、下部から上部に亘ってヒーターカバー１７が設けられる。
【００２３】
図６に示すように給湯用ホース５７を差し込む給湯用ホース差込み口５は、浴槽２の上面にホース径より若干大きい外穴２９を開け、この外穴２９に同心円となるように、前記ホース径より若干小さい内穴３０が開けられた可撓性部材でなるホース止め板３１を、前記外穴２９の周囲の浴槽２に止着して構成される。ホース止め板３１は内穴３０に挿入された前記給湯用ホース５７が容易には抜けないように摩擦抵抗を加える。給湯用ホース差込み口５の下に給湯路２０が形成され、給湯用ホース差込み口５に差し込まれた給湯用ホース５７から出る湯は給湯路２０を流れて内槽７に流入する。
【００２４】
前記噴流スイッチ３２は、循環ポンプ１０を制御するものであり、循環循環ポンプ１０は開閉検出スイッチ４６を操作しなくても、噴流スイッチ３２により循環ポンプ１０を停止・作動させることができる。
【００２５】
図５に配管系統図を示している。循環ポンプ１０の吐出口１０ｂは分岐管２６に連通され、分岐管２６から各電磁弁４４を介して各ノズル２４に配管２１が接続される。更に、分岐管２６には強制排水バルブ４５が接続される。
【００２６】
強制排水バルブツマミ９に隣接して、強制排水バルブツマミ９によって作動する開閉検出スイッチ４６が設けられる。強制排水バルブツマミ９を回わし始めると、強制排水バルブ４５が開き始めると同時に開閉検出スイッチ４６が導通し、循環ポンプ１０が回動し強制排水が行なわれる。強制排水バルブ４５の回動程度（＝強制排水バルブ４５の開度）を、施設の排水能力に合わせて適宜調節する。図４に示す強制排水バルブツマミ９を左方へ回転させる程に強制排水量は多くなる。
【００２７】
開閉検出スイッチ４６が導通すると、第１電磁弁４４ａ、第２電磁弁４４ｂ、第３電磁弁４４ｃ及び第４電磁弁４４ｄが閉まる。
内槽底壁７ａには浴槽内の湯が空になったことを検出する水位センサ４９が設けられており、強制排水中に浴槽内の湯が空になると水位センサ４９が作動し、該水位センサ４９の信号を得て循環ポンプ１０は停止する。
【００２８】
内槽底壁７ａには、フィルター４７、温度センサ４８、水圧を測定して水量を測る水位センサ４９及び気泡板１９が設けられる。前記フィルター４７には、循環ポンプ１０及び自然排水バルブ１３が接続される。
【００２９】
内槽底壁７ａには排水口５０が開口され、該排水口５０には気泡排水バルブ１４が接続される。
【００３０】
噴流量調節バルブ４の一端は外気に開放され、他端は各逆止弁５１を介して各ノズル２４に配管接続される。噴流量調節バルブ４を閉めるとノズル２４から湯のみの強い噴流が噴出し、該バルブ４を開けるとノズル２４から気泡混じりの噴流が噴出する。
【００３１】
図７に電気的構成のブロック図を示している。
全身浴装置を電気的に制御する制御回路２２に、メインパネル３、ヒーター１６、循環ポンプ１０、ブロアー６、側壁温度センサ５４、温度センサ４８、開閉検出スイッチ４６、水位センサ４９、電源スイッチ５２及び第１・２・３・４電磁弁４４ａ・４４ｂ・４４ｃ・４４ｄが接続される。
【００３２】
前記メインパネル３には、噴流スイッチ３２、気泡スイッチ３３、ヒータースイッチ３４、ノズル選択スイッチ３５、ノズル２４を開閉するノズル入切スイッチ３６、噴流作動を連続とするか長い間欠とするか短い間欠とするかを選択するモード切替スイッチ３７、治療時間及び槽内温度を設定する設定決定スイッチ３８、治療温度を設定するか槽内温度を設定するかの選択をする切替スイッチ３９、設定数値を大きくするプラススイッチ４０、設定数値を小さくするマイナススイッチ４１等のスイッチが配設される。更に、治療時間表示器４２、槽内温度表示器４３が配設される。
図２中、５３は滑り止め突起、５９は気泡口である。
【００３３】
実施例１を使用する際は、先ず、給湯用ホース５７を給湯用ホース差込み口５に差し込み止める。給湯用ホース５７から湯を浴槽２へ給湯をする。浴槽２に湯を満たす。給湯用ホース５７にはホース止め板３１の摩擦抵抗が加わっているので、該給湯用ホース５７は給湯中に給湯用ホース差込み口５から抜けない。
【００３４】
患者が浴槽２に入る。患者が足裏及び踵を足受け１５に当てる。足を突っ張り、浴槽２内へのずり落ちを防ぐ。前・中・後足受け１５ａ・１５ｂ・１５ｃの各足受け１５の内の適宜都合のよい足受け１５に足を当てる。
リクライニング姿勢になった患者は、頭を背凭れ壁７ｄに一体的に設けられた枕２３に頭を乗せる。枕２３で患者の頭を安定に支持する。
【００３５】
噴流スイッチ３２を押し、循環ポンプ１０を始動して、浴槽２内の湯をノズル２４から浴槽２内へ噴流し循環させ、患者に渦流浴治療を施す。噴流量調節バルブ４を操作して、噴流量を調節する。
尚、全身浴装置１は、循環ポンプ１０で浴槽２内の湯を定期的に攪拌すると共に、浴槽２内に固着された温度センサ４８及び側壁温度センサ５４にて浴槽２内の湯温を測定し、浴槽２内の湯が設定された温度に維持されるようヒーター１６のＯＮ／ＯＦＦ制御を行っている。
【００３６】
所定時間が経過すると、患者は浴槽２から出る。
入浴（＝温浴治療）を終わった後、浴槽２の上部に設けられた強制排水バルブツマミ９を回し、湯を排水する。強制排水バルブツマミ９を左方へ回し始めた直後に、循環ポンプ１０が回動する。強制排水バルブツマミ９を左方へ回して行けば、強制排水バルブツマミ９が徐々に開いていき、強制排水量が増える。好適な排水量に設定し排水する。浴槽内に湯が空になると循環ポンプ１０は自動的に停止する。
強制排水バルブ４５は、浴槽２の上部位置にあり、操作し易い。
【産業上の利用可能性】
【００３７】
本発明の強制排水付き全身浴装置は、身体の上下肢に障害や疾病を持つ患者の上下肢部分を温浴治療するために利用される。
【図面の簡単な説明】
【００３８】
【図１】本発明の実施例１の左側面図である。
【図２】本発明の実施例１の平面図である。
【図３】本発明の実施例１の背面図である。
【図４】本発明の実施例１に係る強制排水バルブツマミを示す図である。
【図５】本発明の実施例１の配管系統図である。
【図６】本発明の実施例１の給湯用ホース差込み口を示す図である。
【図７】本発明の実施例１の電気的構成のブロック図を示す。
【図８】本発明の実施例１に係る強制排水バルブを示す図である。
【符号の説明】
【００３９】
１    全身浴装置
２    浴槽
５    給湯用ホース差込み口
１０    循環ポンプ
１０ｂ  吐出口
２４    ノズル
３２    噴流スイッチ
４５    強制排水バルブ
４６    開閉検出スイッチ
５７    給湯用ホース
【図１】
2005058381.tif 000003
【図２】
2005058381.tif 000004
【図３】
2005058381.tif 000005
【図４】
2005058381.tif 000006
【図５】
2005058381.tif 000007
【図６】
2005058381.tif 000008
【図７】
2005058381.tif 000009
【図８】
2005058381.tif 000010